(57)【要約】【課題】  型枠工の作業の間隔を空けずに各施工が円滑かつ効率的に行われるとともに、立ち上がり部が精度良く形成できる壁構造およびその構築方法ならびに突起用形成型枠を提供することである。【解決手段】  壁構造１は、対向状に立設した支持脚１２と、これらの支持脚１２を連結する連結板１３とからなるラス板用支持材１０が適宜間隔ごとに配置され、該ラス板用支持材１０の両支持脚１２におけるスラブ上面５から突出した箇所にラス板１１が対向設置されて突起用形成型枠７が形成され、該突起用形成型枠７内にコンクリート８が打設されて形成された防水用突起部６がバルコニー２との境界部における立ち上がり部４内に埋設されたことである。【選択図】図１
2006249818.tif 000002
【特許請求の範囲】
【請求項１】
対向状に立設した支持脚と、これらの支持脚を連結する連結板とからなるラス板用支持材が適宜間隔ごとに配置され、該ラス板用支持材の両支持脚におけるスラブ上面から突出した箇所にラス板が対向設置されて突起用形成型枠が形成され、該突起用形成型枠内にコンクリートが打設されて形成された防水用突起部がバルコニーとの境界部における立ち上がり部内に埋設されたことを特徴とする壁構造。
【請求項２】
スラブ型枠におけるバルコニーとの境界部に、対向状に立設した支持脚と、これらの支持脚を連結する連結板とからなるラス板用支持材を適宜間隔ごとに配置した後、スラブ筋を配筋し、ラス板用支持材の両支持脚におけるスラブ上面から突出した箇所にラス板を対向設置して突起用形成型枠を形成し、該突起用形成型枠の内側に差し筋をラス板に沿わせて配筋した後、スラブ型枠および突起用形成型枠内にコンクリートを打設して防水用突起部を形成し、該防水用突起部を立ち上がり部内に埋設して形成することを特徴とする壁構造の構築方法。
【請求項３】
対向状に立設した支持脚と、これらの支持脚を連結する連結板とからなるラス板用支持材が適宜間隔ごとに配置され、該ラス板用支持材における両支持脚のスラブ上面から突出した箇所にラス板が対向設置されて形成されたことを特徴とする突起用形成型枠。
【発明の詳細な説明】
【技術分野】
【０００１】
本願発明は壁構造およびその構築方法ならびに突起用形成型枠に関するものである。
【背景技術】
【０００２】
バルコニーと居住空間との境界部における壁構造は防水上、スラブと立ち上がり部とのコンクリートを同時打ちして構築していた。この構築方法として、図７に示すように、型枠大工がスラブ型枠２４を組立形成した後、鉄筋工がスラブ筋２５および段取り筋２６を配筋し、該段取り筋２６に差し筋２７を配筋した後、型枠工が端太受金物２８で支持された立ち上がり部用形成型枠２９を組立形成した後、土工がスラブ型枠２４と立ち上がり部用形成型枠とにコンクリート３０を打設し、該コンクリート３０が硬化した後に立ち上がり部用形成型枠２９を解体して構築していた。また、その他のバルコニーと居住空間との境界部における壁構造としては、例えば特開２００２−２１３４８号の発明が知られている。
【特許文献１】特開２００２−２１３４８号公報
【発明の開示】
【発明が解決しようとする課題】
【０００３】
しかし、上記の壁構造の構築方法では、型枠工の作業の間隔が空いてしまうという問題があった。また差し筋の転倒防止のための段取り筋の配筋が必要となる他、立ち上がり部用型枠が端太受金物で支持された浮き型枠になっているため、精度の確保が困難であるという問題があった。
【０００４】
本願発明はこれらの問題に鑑みてなされたものであり、その目的は、型枠工の作業の間隔を空けずに各施工が円滑かつ効率的に行われるとともに、立ち上がり部が精度良く形成できる壁構造およびその構築方法ならびに突起用形成型枠を提供することである。
【課題を解決するための手段】
【０００５】
以上の課題を解決するための壁構造は、対向状に立設した支持脚と、これらの支持脚を連結する連結板とからなるラス板用支持材が適宜間隔ごとに配置され、該ラス板用支持材の両支持脚におけるスラブ上面から突出した箇所にラス板が対向設置されて突起用形成型枠が形成され、該突起用形成型枠内にコンクリートが打設されて形成された防水用突起部がバルコニーとの境界部における立ち上がり部内に埋設されたことを特徴とする。
【０００６】
また壁構造の構築方法は、スラブ型枠におけるバルコニーとの境界部に、対向状に立設した支持脚と、これらの支持脚を連結する連結板とからなるラス板用支持材を適宜間隔ごとに配置した後、スラブ筋を配筋し、ラス板用支持材の両支持脚におけるスラブ上面から突出した箇所にラス板を対向設置して突起用形成型枠を形成し、該突起用形成型枠の内側に差し筋をラス板に沿わせて配筋した後、スラブ型枠および突起用形成型枠内にコンクリートを打設して防水用突起部を形成し、該防水用突起部を立ち上がり部内に埋設して形成することを特徴とする。
【０００７】
また突起用形成型枠は、対向状に立設した支持脚と、これらの支持脚を連結する連結板とからなるラス板用支持材が適宜間隔ごとに配置され、該ラス板用支持材における両支持脚のスラブ上面から突出した箇所にラス板が対向設置されて形成されたことを特徴とする。
【発明の効果】
【０００８】
防水用突起部がバルコニーとの境界部における立ち上がり部内に埋設されたことにより、完璧な防水構造となる。また各施工手順の中で、型枠工の作業間隔が空かずに効率的な作業をすることができる。また突起用形成型枠内にコンクリートが打設されて防水用突起部が形成されるので、防水用突起部の精度の向上を図ることができるるとともに、精度の確保が容易になる。また防水用突起部が立ち上がり部内に埋設された壁構造の施工が簡単に行える。また差し筋の転倒防止のためにラス板を利用することができるので、段取り筋が不要になる。また従来の立ち上がり部用型枠の組立または解体が不要になる。
【発明を実施するための最良の形態】
【０００９】
以下、本願発明の壁構造およびその構築方法ならびに突起用形成型枠の実施の形態を図面に基づいて説明する。はじめに壁構造について説明し、その後に、この壁構造に使用する突起用形成型枠について説明する。そして最後に、この突起用形成型枠を使用した壁構造の構築方法について説明するが、各実施の形態において同じ構成は同じ符号を付して説明する。
【００１０】
図１は壁構造１の断面を示したものである。この壁構造１はバルコニー２と居住空間３との境界部に構築されたものであり、この境界部における立ち上がり部４、すなわち桁行き方向に沿って連続的に形成された立ち上がり部４内に、スラブ上面５よりも上側に突出した防水用突起部６が埋設されて構成されている。この防水用突起部６は突起用形成型枠７内にコンクリート８が打設されて、上記立ち上がり部４のように桁行き方向に沿って連続的に形成されている。
【００１１】
この突起用形成型枠７は、図２および図３に示すように、スラブ型枠９に適宜間隔ごとに設置されたラス板用支持材１０と、この両側に対向設置されたラス板１１とから構成されている。このラス板１１は型板としてスラブ上面５から突出した箇所に設置され、これらのラス板１１間にコンクリート８が打設されて防水用突起部６が形成されている。
【００１２】
このラス板用支持材１０は適宜間隔をもって対向した支持脚１２が上部の連結板１３で連結されて形成され、これら支持脚１２の下部には釘孔１４を備えた固定片１５が設けられている。また支持脚１２上部の外側には上下の掛止片１６が二組設けられ、これらにラス板の上下補強材１７、１８が掛止されてラス板１１が長さ方向に接続されている。また端部が支持脚１２と重なるようにラス板１１が長さ方向に接続されているため、両支持脚１２の上部にラス板１１からなる型板が形成されたようになっている。このようにラス板１１は上下補強材１７、１８を掛止片１６に掛け止めするだけでラス板用支持材１０の両側に簡単に設置することができる。
【００１３】
次に、上記の突起用形成型枠７を使用した壁構造の構築方法を図４〜図６に基づいて説明する。はじめに、図４および図５に示すように、型枠工によってスラブ型枠９を組立形成する。次に、このスラブ型枠９におけるバルコニー２との境界部に、支持脚１２とこれらの支持脚１２を連結する連結板１３とからなるラス板用支持材１０を適宜間隔ごとに配置して釘１９で固定する。次に、鉄筋工によってスラブ筋２０を配筋するとともに、支持脚１２の掛止片１６に上下補強材１７、１８を掛け止めしてラス板１１をラス板用支持材１０の両側に連続的に設置して、スラブ上面５から突出した箇所に突起用形成型枠７を形成する。そして、この突起用形成型板７の内側に差し筋２１をラス板１１に沿わせて配筋する。このラス板１１が従来の段取り筋の代わりになって差し筋２１を支持するため、段取り筋が不要になる。
【００１４】
次に、図６に示すように、土工によりスラブ型枠９および突起用形成型枠７内にコンクリート８を打設し、このコンクリート８が硬化すると、上面から差し筋２１が突出した防水用突起部６が形成される。そして、この防水用突起部６の両側に立ち上がり部用形成型枠２２を組立形成し、この立ち上がり部用形成型枠２２内にコンクリート（図示せず）を打設すると、図１に示すような、防水用突起部６が立ち上がり部４内に埋設された壁構造１が構築される。
【図面の簡単な説明】
【００１５】
【図１】壁構造の断面図である。
【図２】突起用形成型枠の斜視図である。
【図３】（１）は突起用形成型枠の一部省略正面図、（２）は（１）のＡ−Ａ線断面である。
【図４】スラブ型枠に突起用形成型枠、スラブ筋及び差し筋を配筋した断面図である。
【図５】スラブ型枠に突起用形成型枠、スラブ筋及び差し筋を配筋した平面図である。
【図６】スラブ型枠および突起用形成型枠にコンクリートを打設した断面図である。
【図７】従来の壁構造の構築方法の断面図である。
【符号の説明】
【００１６】
１  壁構造
２  バルコニー
３  居住空間
４  立ち上がり部
５  スラブ上面
６  防水用突起部
７  突起用形成型枠
８、３０  コンクリート
９、２４  スラブ型枠
１０  ラス板用支持材
１１  ラス板
１２  支持脚
１３  連結板
１４  釘孔
１５  固定片
１６  掛止片
１７  上部補強材
１８  下部補強材
１９  釘
２０、２５  スラブ筋
２１、２７  差し筋
２２、２９  立ち上がり部用形成型枠
２６  段取り筋
２８  端太受金物
【図１】
2006249818.tif 000003
【図２】
2006249818.tif 000004
【図３】
2006249818.tif 000005
【図４】
2006249818.tif 000006
【図５】
2006249818.tif 000007
【図６】
2006249818.tif 000008
【図７】
2006249818.tif 000009